【事件の表示】
　特願２００８−３２６０８４「シングルパス方式インクジェットプリンタにおける被印刷物の印刷方法」拒絶査定不服審判事件〔平成２１年　４月２３日出願公開、特開２００９−　８３５０７〕について、次のとおり審決する。
【結　論】
　本件審判の請求は、成り立たない。
【理　由】
１　手続の経緯
　本願は、２０００年３月２３日（パリ条約による優先権主張外国庁受理１９９９年３月２６日、米国）を国際出願日とする出願である特願２０００−６０７８２８号の一部を平成２０年１２月２２日に新たな特許出願としたものであって、平成２２年１０月１３日に手続補正がなされ、同年１０月２７日付けで拒絶査定がなされ、これに対して、平成２３年３月２日に拒絶査定不服審判が請求されると同時に手続補正がなされたものである。
　なお、請求人は、当審における平成２３年６月１日付け審尋に対して同年１２月７日付けで回答書を提出している。
　
２　本願発明
　本願の請求項１ないし１０に係る発明は、平成２３年３月２日付け手続補正により補正された特許請求の範囲の請求項１ないし１０に記載された事項によって特定されるものであるところ、請求項１に係る発明（以下「本願発明」という。）は、平成２３年３月２日付け手続補正により補正された特許請求の範囲、明細書及び図面の記載からみて、その特許請求の範囲の請求項１に記載された次のとおりのものと認める。
　
「シングルパス方式インクジェットプリンタにおける、印刷ライン方向に沿って印刷ヘッドに対して相対移動する被印刷物の印刷方法であって、
　被印刷物上のインクの拡散速度に基づいて遅延間隔を特定すること、
　被印刷物上の第１位置へ、第１オリフィスを通じて第１のインク滴を印刷ヘッドから吐出すること、
　被印刷物上の第２位置へ、第２オリフィスを通じて第２のインク滴を印刷ヘッドから吐出することであって、第１位置のインク滴の縁と第２位置のインク滴の縁は印刷ライン方向に垂直な方向に沿ってある間隙だけ離間し、前記間隙は前記第１のインク滴および前記第２のインク滴が前記第１位置および前記第２位置から広がるにつれて、最初の程度の間隙から残りの程度の間隙に減少する程度であること、および
　前記遅延間隔が過ぎた後で、被印刷物上の、前記残りの程度の間隙の間に位置する第３位置へ、第３オリフィスを通じて第３のインク滴を印刷ヘッドから吐出すること、
からなる方法。」
　
３　引用例
　原査定の拒絶の理由で引用された「本願の優先日前に頒布された刊行物である特開昭５９−２２４３６７号公報（以下「引用例」という。）」には、次の事項が図とともに記載されている（下線は審決で付した。以下同じ。）。
（１）「２．特許請求の範囲
　記録媒体に液滴を付着あるいは衝突させてドットを形成し、
該ドットを複数個連ねて文字や画像を構成する
連なつたドットを記録する際に、１個又は複数個分のドット間隔をあけてドットを記録し、次いで記録した該ドットの間を埋めるように次のドットを記録して連続することによつて、各記録ドットの拡がりを制御するようにした
　
（２）「(a)　発明の技術分野
　本発明はドット記録方式にかかり、特に複数個のドットを連ねて記録する場合のドット記録状態を良好に調節する方式に関する。
(b)　従来技術と問題点
　周知のように、
インクジエット記録装置などでは、インクの液滴によつてドットを形成し、
記録し
　ところが、ドットを連続して順次に一方向に記録すれば、線分のエッジが凹凸になりやすく、また甚だしい時には途切れを起こしたりして印字品位は決して好ましいものではない。特に、数ドットからなる短い線分を複数個連ねて長い線分を構成する場合にこの傾向は強い。第１図(a)〜(f)はこれを説明するための図で、２つのドットが記録紙に付着する時間順断面図を示している。図示のように、
ある時間差をもつて記録媒体に到達した２つのドットが重なれば、最初に到達し付着したドットＤ
１
の方に、次いで到達したドットＤ
２
のインクが引っ張られて流れ込み、ドットＤ
１
の拡がりが大きくなつて、ドットＤ
２
の拡がりが小さくなる現象
(c)　発明の目的
　本発明は、
このような隣接ドット間の流れ込みを極力少なくして、
高品位の記録を得る
　
（３）「(e)　発明の実施例
　以下、図面を参照して実施例によつて詳細に説明する。本発明を理解しやすくするため、
マルチノズルヘッドを用いた従来のノズル配列
ノズルから噴射したインク粒子によつて記録されたドット
　その場合、第３図(a)〜(e)に示す順序によつてドットが記録され、且つ図示のような拡がりが起こる。第３図は第２図(b)よりも一層拡大したドット記録図を示し、第３図(a)はまずＡ列のノズルからのドット１が記録された瞬間の図である。次いで、第３図(b)はＢ列のノズルからのドット２が記録された瞬間の図で、その時にはドット１は記録紙上で拡がりが起こつており、そのためドット２はドット１の方に引っ張られて、インクは平均化される。ドット１が無ければ、図の一部に点線で示しているような位置に記録されて拡がり始める筈である。次いで、第３図(c)はＣ列のノズルからのドット３が記録された瞬間の図で、同様にドット２の方に引かれてインクが平均化される。次いで、第３図(d)はＤ列のノズルからのドット４が記録された瞬間の図で、この時はドット１が更に大きく拡がつており、更にドット３はドット２の方向へ位置ずれしているから逆方向のドット１に引かれてインクがその方に流れ込んで平均化され、最後は第３図(e)に示す記録状態となる。
　このような過程を経て各ドットが定着し記録されると、ドット１の拡がりは大きく、ドット３，４の拡がりが小さくて、線のエッジ部分の凹凸が大きくなり、且つドット３とドット４との間で線の途切れが起こる。従つて、印字品位が低下するわけである。」（２頁左上欄１３行〜同頁左下欄１４行）
　
（４）「これに対して、第４図(a)は第２図(a)と同じくＡ〜Ｄの４列（順序は異なる）からなるノズル配列を図示しているが、ドット記録順序は本発明にかかる趣旨によつて配列構成が異なつている。第４図(b)は記録した線を大きく拡大してドットの連なりで示した記録図で、ドット記録順序はドット円内に示す数字の順序である。すなわち、噴射するインク粒子はＡ．Ｃ．Ｂ．Ｄ列のノズル順になり、１個づつ間隔をあけてドットを記録し、次いでその間を埋める方式である。
　この場合、第５図(a)〜(e)に示す順序によつてドットが記録され、且つ図示のような拡がりが起こる。第５図(a)はまずＡ列のノズルからのドット１が記録された瞬間の図である。次いで、第５図(b)はＣ列のノズルからのドット２が記録された瞬間の図で、その時はドット１に拡がりが起こつているが、ドット２とは間隔が開いているからドット１に引っ張られることはない。次いで、第５図(c)はＢ列のノズルからのドット３が記録された瞬間の図で、この場合はドット１とドット２との双方にドット３のインクが流れ込んで平均化される。次いで、第５図(d)はＤ列のノズルからのドット４が記録された瞬間の図で、この場合も第５図(c)の場合と同様になる。従つて、第３図(e)に示すように線の途切れがなく、エッジの凹凸も減少した記録状態となつて、高品位の記録が得られる。
　以上は４列千鳥配列のマルチノズルに本発明を適用した実施例であるが、これから判るようにエッジの凹凸を少なくするためには、本発明の趣旨によつた色々な配列が考えられる。」（２頁左下欄１５行〜３頁左上欄４行）
　
（５）４列からなる従来のノズル配列のマルチノズルヘッドを示している第２図(a)、そのノズル配列のマルチノズルヘッドで記録したドットの連なりを示している第２図(b)、及び、第２図(a)のノズル配列のマルチノズルヘッドでドットを記録する従来の記録順を示す第３図(a)ないし(e)から、以下のことが見て取れる。
　ア　第２図(a)中下方向である第１の方向に配列されたａ個のノズルからなるノズル列を第１の方向の位置をずらして第１の方向に直交する第２の方向である左右方向にｂ（＝４）列配置した従来のマルチノズルヘッド。
　イ　上記アの従来のマルチノズルヘッドを備えたインクジエット記録装置により、前記マルチノズルヘッドを記録媒体に対して第２図(a)中左方向に移動しながらｃ（ｃ＝ａ×ｂ）個のノズルからインク粒子を噴射することによってドットを記録する従来のインクジエット記録方法、この従来のインクジエット記録方法では、第１ノズル、第２ノズル、第３ノズル、・・・、第ｃノズルが、第１ノズル列Ａ、第２ノズル列Ｂ、・・・、第ｂノズル列Ｄの順に繰り返し属していること、この従来のインクジエット記録方法では、第１ノズル、第２ノズル、第３ノズル、・・・、第ｃノズルが、第１ノズル列Ａ、第２ノズル列Ｂ、・・・、第ｂノズル列Ｄの順に繰り返し属していること。
　ウ　上記イの従来のインクジエット記録方法で、記録媒体に対して９ドットからなる第１の方向である第２図(b)中上下方向かつ第３図(a)ないし(e)中左右方向の線分すなわち縦線を記録するには、第１ノズル列Ａの第１ノズル、第５ノズル及び第９ノズルからインク粒子を噴射することによって第１組のドット１を記録し、その後、前記マルチノズルヘッドが第２図(a)中左方向へ第１の距離移動する毎に、第２ノズル列Ｂの第２ノズル及び第６ノズルからインク粒子を噴射することによって第２組のドット２を記録し、・・・、第４ノズル列Ｄの第４ノズル及び第８ノズルからインク粒子を噴射することによって第４組のドット４を記録することにより９ドットからなる第２図(b)中上下方向かつ第３図(a)ないし(e)中左右方向の縦線の記録を完成させるものであること、第２ノズル列Ｂの第２ノズル及び第６ノズルからインク粒子を噴射することによって第２組のドット２を記録した時には第１組のドット１は記録媒体上で拡がりが起こっていること、そのため第２組の各ドット２は隣接する第１組のドット１の方に引っ張られること、第３ノズル列の第３ノズル及び第７ノズルからインク粒子を噴射することによって第３組のドット３を記録した時には第２組のドット２は記録媒体上で拡がりが起こっていること、そのため第３組の各ドット３は隣接する第２組のドット２の方に引っ張られること、第４ノズル列の第４ノズル及び第８ノズルからインク粒子を噴射することによって第４組のドット４を記録した時には、第１組のドット１は記録媒体上で更に大きく拡がっており、更に第３組の各ドット３は隣接する第２組の各ドット２の方向へ位置ずれしているから、第４組の各ドット４は隣接する第１組の各ドット１に引かれること、各ドットが定着し記録されると第１組のドット１の拡がりは大きく、第３組のドット３及び第４組のドット４の拡がりは小さくて、互いに隣接する第３組のドット３と第４組のドット４との間で線が途切れてしまうこと。
　
（６）４列からなる本発明にかかる一実施例のノズル配列のマルチノズルヘッドを示している第４図(a)、そのノズル配列のマルチノズルヘッドで記録したドットの連なりを示している第４図(b)、及び、第４図(a)のノズル配列のマルチノズルヘッドでドットを記録する本発明にかかる一実施例の記録順を示す第５図(a)ないし(e)から、以下のことが見て取れる。
　ア　第４図(a)中下方向である第１の方向に配列されたａ個のノズルからなるノズル列を第１の方向の位置をずらして第１の方向に直交する第２の方向である左右方向にｂ（＝４）列配置したマルチノズルヘッド。
　イ　上記アのマルチノズルヘッドを備えたインクジエット記録装置により、前記マルチノズルヘッドを記録媒体に対して第４図(a)中左方向に移動しながらｃ（ｃ＝ａ×ｂ）個のノズルからインク粒子を噴射することによってドットを記録するインクジエット記録方法、このインクジエット記録方法では、第１ノズル、第２ノズル、第３ノズル、・・・、第ｃノズルが、第１ノズル列Ａ、第３ノズル列Ｂ、・・・、第ｂノズル列Ｄの順に繰り返し属していること。
　ウ　上記イのインクジエット記録方法で、記録媒体に対して９ドットからなる第１の方向である第４図(b)中上下方向かつ第５図(a)ないし(e)中左右方向の線分すなわち縦線を記録するには、第１ノズル列Ａの第１ノズル、第５ノズル及び第９ノズルからインク粒子を噴射することによって第１組のドット１を記録し、その後、前記マルチノズルヘッドが第４図(a)中左方向へ第１の距離移動する毎に、第３ノズル列Ｃの第２ノズル及び第６ノズルからインク粒子を噴射することによって第２組のドット２を記録し、・・・、第４ノズル列Ｄの第４ノズル及び第８ノズルからインク粒子を噴射することによって第４組のドット４を記録することにより９ドットからなる第４図(b)中上下方向かつ第５図(a)ないし(e)中左右方向の縦線の記録を完成させるものであること、第３ノズル列Ｂの第２ノズル及び第６ノズルからインク粒子を噴射することによって第２組のドット２を記録した時には第１組のドット１は記録媒体上で拡がりが起こっているが、第２組の各ドット２とは間隔が開いているから第２組の各ドット２は隣接する第１組のドット１に引っ張られることはないこと、第２ノズル列Ｂの第３ノズル及び第７ノズルからインク粒子を噴射することによって第３組のドット３を記録した時には、第３組の各ドット３に隣接する第１組のドット１と第２組のドット２の双方に第３組のドット３が一部重なるから第３組のドット３は位置ずれしないこと、第４ノズル列Ｄの第４ノズル及び第８ノズルからインク粒子を噴射することによって第４組のドット４を記録した時には、第４組の各ドット４に隣接する第１組のドット２と第２組のドット２の双方に第４組のドット４が一部重なるから、第４組のドット４は位置ずれしないこと、したがって各ドット間で線が途切れてしまうことがないこと。
　
（７）上記（１）ないし（６）からみて、引用例には、
「第１の方向に配列されたａ個のノズルからなるノズル列を第１の方向の位置をずらして第１の方向に直交する第２の方向にｂ列配置したマルチノズルヘッドを備えたインクジェット記録装置により、前記マルチノズルヘッドを記録媒体に対して第２の方向に移動しながらｃ（ｃ＝ａ×ｂ）個のノズルからインク粒子を噴射することによって記録媒体に液滴を付着させてドットを形成し、該ドットを複数個連ねて文字や画像を構成するインクジェット記録方法において、
　例えば、第１の方向を下方向とし、第２の方向を左方向とし、前記マルチノズルヘッドのｃ個のノズルのうち、前記マルチノズルヘッドの第１の方向の一端である上端に最も近接する位置のノズルから前記マルチノズルヘッドの上端に近い順に、第１ノズル、第２ノズル、・・・、第ｃノズルとし、前記マルチノズルヘッドのｂ列あるノズル列のうち、前記マルチノズルヘッドの第２の方向の一端である左端に最も近接する位置のノズル列から前記左端に近い順に、第１ノズル列、第２ノズル列、・・・、第ｂノズル列とし、第１ノズル、第２ノズル、・・・、第ｃノズルのうち上下方向について最も近いノズル同士の上下方向についての間隔は各ノズルから噴射され記録媒体に付着したインクの液滴が拡がった後のドット径よりも狭く、第１ノズル列、第２ノズル列、・・・、第ｂノズル列のうち左右方向について最も近いノズル列同士の左右方向についての間隔はいずれも第１の距離であるとき、
　従来のインクジェット記録方法では、第１ノズル、第２ノズル、第３ノズル、・・・、第ｃノズルが、第１ノズル列、第２ノズル列、・・・、第ｂノズル列の順に繰り返し属していたので、記録媒体に対して例えば９ドットからなる第１の方向の線分すなわち縦線を記録するには、ｂを４とすると、第１ノズル列の第１ノズル、第５ノズル及び第９ノズルからインク粒子を噴射することによって第１組のドットを記録し、その後、前記マルチノズルヘッドが左方向へ第１の距離移動する毎に、第２ノズル列の第２ノズル及び第６ノズルからインク粒子を噴射することによって第２組のドットを記録し、・・・、第４ノズル列の第４ノズル及び第８ノズルからインク粒子を噴射することによって第４組のドットを記録することにより９ドットからなる縦線の記録を完成させるものであったから、ある時間差をもって記録媒体に到達した２つのドットが重なれば、最初に到達し付着したドットＤ１の方に、次いで到達したドットＤ２のインクが引っ張られて流れ込み、ドットＤ１の拡がりが大きくなって、ドットＤ２の拡がりが小さくなる現象によって、第２ノズル列の第２ノズル及び第６ノズルからインク粒子を噴射することによって第２組のドットを記録した時には第１組のドットは記録媒体上で拡がりが起こっており、そのため第２組の各ドットは隣接する第１組のドットの方に引っ張られてインクが平均化され、第３ノズル列の第３ノズル及び第７ノズルからインク粒子を噴射することによって第３組のドットを記録した時には第２組のドットは記録媒体上で拡がりが起こっており、そのため第３組の各ドットは隣接する第２組のドットの方に引っ張られてインクが平均化され、第４ノズル列の第４ノズル及び第８ノズルからインク粒子を噴射することによって第４組のドットを記録した時には、第１組のドットは記録媒体上で更に大きく拡がっており、更に第３組の各ドットは隣接する第２組の各ドットの方向へ位置ずれしているから、第４組の各ドットは隣接する第１組の各ドットに引かれてインクがその方に流れ込んで平均化され、各ドットが定着し記録されると第１組のドットの拡がりは大きく、第３組のドット及び第４組のドットの拡がりは小さくて、互いに隣接する第３組のドットと第４組のドットとの間で線が途切れてしまうところ、このような隣接ドット間の流れ込みを極力少なくして高品位の記録を得るため、１個又は複数個分のドット間隔をあけてドットを記録し、次いで記録した該ドットの間を埋めるように次のドットを記録して先に間隔をあけて記録したドットを連続することによって、各記録ドットの拡がりを制御するようにし、連なったドットを記録する、インクジェット記録方法であって、
　例えばｂを４とすると、第１ノズル、第２ノズル、第３ノズル、・・・、第ｃノズルを、第１ノズル列、第３ノズル列、第２ノズル列、第４ノズル列の順に繰り返し属すように配置し、記録媒体に対して例えば９ドットからなる縦線を記録するには、第１ノズル列の第１ノズル、第５ノズル及び第９ノズルからインク粒子を噴射することによって第１組のドットを記録し、その後、前記マルチノズルヘッドが左方向へ第１の距離移動する毎に、第３ノズル列の第２ノズル及び第６ノズルからインク粒子を噴射することによって第２組のドットを記録し、第２ノズル列の第３ノズル及び第７ノズルからインク粒子を噴射することによって第３組のドットを記録し、第４ノズル列の第４ノズル及び第８ノズルからインク粒子を噴射することによって第４組のドットを記録することにより９ドットからなる縦線の記録を完成させるようにして、第３ノズル列の第２ノズル及び第６ノズルからインク粒子を噴射することによって第２組のドットを記録した時には、第１組のドットは記録媒体上で拡がりが起こっているが、第２組の各ドットとは間隔が開いているから第２組の各ドットは隣接する第１組のドットに引っ張られることはなく、次いで、第２ノズル列の第３ノズル及び第７ノズルからインク粒子を噴射することによって第３組のドットを記録した時には、第３組の各ドットに隣接する第１組のドットと第２組のドットの双方に第３組のドットからインクが流れ込んで平均化され、次いで、第４ノズル列の第４ノズル及び第８ノズルからインク粒子を噴射することによって第４組のドットを記録した時には、第４組の各ドットに隣接する第１組のドットと第２組のドットの双方に第４組のドットからインクが流れ込んで平均化されるから、各ドット間で線が途切れてしまうことがないようにしたインクジェット記録方法。」の発明（以下「引用発明」という。）が記載されているものと認める。
　
４　対比
　本願発明と引用発明とを対比する。
（１）引用発明の「インクジェット記録装置」、「第２の方向」、「マルチノズルヘッド」、「記録媒体」、「インクジェット記録方法」、「マルチノズルヘッドを記録媒体に対して第２の方向に移動しながらｃ（ｃ＝ａ×ｂ）個のノズルからインク粒子を噴射することによって記録媒体に液滴を付着させてドットを形成し、該ドットを複数個連ねて文字や画像を構成するインクジェット記録方法」、「インク」、「ノズルから噴射され記録媒体に付着したインクの液滴』の『拡が』り」、「マルチノズルヘッドが左方向へ第１の距離移動する毎」、「ノズル」、「インク粒子」、「噴射」、「第１ノズル列の第１ノズル、第５ノズル及び第９ノズルからインク粒子を噴射する」、「第３ノズル列の第２ノズル及び第６ノズルからインク粒子を噴射する」及び「第２ノズル列の第３ノズル及び第７ノズルからインク粒子を噴射する」は、それぞれ、本願発明の「インクジェットプリンタ」、「印刷ライン方向」、「印刷ヘッド」、「被印刷物」、「印刷方法」、「印刷ライン方向に沿って印刷ヘッドに対して相対移動する被印刷物の印刷方法」、「インク」、「被印刷物上のインクの拡散」、「遅延間隔が過ぎた後」、「オリフィス」、「インク滴」、「吐出」、「第１オリフィスを通じて第１のインク滴を印刷ヘッドから吐出する」、「第２オリフィスを通じて第２のインク滴を印刷ヘッドから吐出する」及び「第３オリフィスを通じて第３のインク滴を印刷ヘッドから吐出する」に相当する。
　
（２）引用発明の「『第１ノズル列の第１ノズル、第５ノズル及び第９ノズルから噴射』した各『インク粒子』が『記録媒体』に『付着』した位置」、「『第３ノズル列の第２ノズル及び第６ノズルから噴射』した各『インク粒子』が『記録媒体』に『付着』した位置」及び「『第２ノズル列の第３ノズル及び第７ノズルから噴射」』した各『インク粒子』が『記録媒体』に『付着』した位置」が、それぞれ、本願発明の「被印刷物上の第１位置」、「被印刷物上の第２位置」及び「被印刷物上の第３位置」に相当する。
　
（３）引用発明の「記録媒体に対して例えば９ドットからなる『第２の方向』に直交する『第１の方向の線分』すなわち『縦線を記録する』には、第１ノズル列の第１ノズル、第５ノズル及び第９ノズルからインク粒子を噴射することによって第１組のドットを記録し、その後、マルチノズルヘッドが左方向へ第１の距離移動する毎に、第３ノズル列の第２ノズル及び第６ノズルからインク粒子を噴射することによって第２組のドットを記録し、第２ノズル列の第３ノズル及び第７ノズルからインク粒子を噴射することによって第３組のドットを記録し、第４ノズル列の第４ノズル及び第８ノズルからインク粒子を噴射することによって第４組のドットを記録することにより９ドットからなる縦線の記録を完成させるようにして、第３ノズル列の第２ノズル及び第６ノズルからインク粒子を噴射することによって第２組のドットを記録した時には、第１組のドットは記録媒体上で拡がりが起こっているが、第２組の各ドットとは間隔が開いている」事項は、本願発明の「第１位置のインク滴の縁と第２位置のインク滴の縁は印刷ライン方向に垂直な方向に沿ってある間隙だけ離間し、前記間隙は前記第１のインク滴および前記第２のインク滴が前記第１位置および前記第２位置から広がるにつれて、最初の程度の間隙から残りの程度の間隙に減少する程度であること」する事項に相当し、引用発明の「第２ノズル列の第３ノズル及び第７ノズルからインク粒子を噴射することによって第３組のドットを記録した時には、第３組の各ドットに隣接する第１組のドットと第２組のドットの双方に第３組のドットからインクが流れ込んで平均化され」る事項は、本願発明の「前記残りの程度の間隙の間に位置する第３位置へ、第３オリフィスを通じて第３のインク滴を印刷ヘッドから吐出すること」に相当する。
　
（４）引用発明の「印刷方法（インクジェット記録方法）」は、ある時間差をもって記録媒体に到達した２つのドットが重なれば、最初に到達し付着したドットＤ１の方に、次いで到達したドットＤ２のインクが引っ張られて流れ込み、ドットＤ１の拡がりが大きくなって、ドットＤ２の拡がりが小さくなる現象によって、第２ノズル列の第２ノズル及び第６ノズルからインク粒子を噴射することによって第２組のドットを記録した時には第１組のドットは記録媒体上で拡がりが起こっており、そのため第２組の各ドットは隣接する第１組のドットの方に引っ張られてインクが平均化され、第３ノズル列の第３ノズル及び第７ノズルからインク粒子を噴射することによって第３組のドットを記録した時には第２組のドットは記録媒体上で拡がりが起こっており、そのため第３組の各ドットは隣接する第２組のドットの方に引っ張られてインクが平均化され、第４ノズル列の第４ノズル及び第８ノズルからインク粒子を噴射することによって第４組のドットを記録した時には、第１組のドットは記録媒体上で更に大きく拡がっており、更に第３組の各ドットは隣接する第２組の各ドットの方向へ位置ずれしているから、第４組の各ドットは隣接する第１組の各ドットに引かれてインクがその方に流れ込んで平均化され、各ドットが定着し記録されると第１組のドットの拡がりは大きく、第３組のドット及び第４組のドットの拡がりは小さくて、互いに隣接する第３組のドットと第４組のドットとの間で線が途切れてしまうから、このような隣接ドット間の流れ込みを極力少なくして高品位の記録を得るため、１個又は複数個分のドット間隔をあけてドットを記録し、次いで記録した該ドットの間を埋めるように次のドットを記録して先に間隔をあけて記録したドットを連続することによって、各記録ドットの拡がりを制御するようにし、連なったドットを記録するものであるところ、引用発明の「印刷方法」でドットを記録するときにあける「間隔」は、記録した該ドットの間を埋めるように次のドットを記録して先に間隔をあけて記録したドットを連続するために、ノズルからインク粒子を噴射してから次に噴射するまでの時間である「遅延間隔（マルチノズルヘッドが左方向へ第１の距離移動する時間）」が過ぎた時までに起こる「インク粒子による記録するドットが記録媒体上で拡がる速度」、「左右方向について最も近いノズル列同士の左右方向についての間隔である第１の距離」及び「マルチノズルヘッドが左方向へ移動する速度」を考慮すべきものであることは当業者に自明であるから、引用発明の「印刷方法」でノズルからインク粒子を噴射してから次に噴射するまでの時間である「遅延間隔」は「インク粒子による記録するドットが記録媒体上で拡がる速度」を考慮したものであるといえる。
　したがって、引用発明の「遅延間隔」と本願発明の「遅延間隔」とは「被印刷物上のインクの拡散速度に基づいて特定する」ものである点で一致し、引用発明の「インク粒子による記録するドットが記録媒体上で拡がる速度」は本願発明の「被印刷物上のインクの拡散速度」に相当する。
　
（５）上記（１）ないし（４）によれば、本願発明と引用発明とは、
「インクジェットプリンタにおける、印刷ライン方向に沿って印刷ヘッドに対して相対移動する被印刷物の印刷方法であって、
　被印刷物上のインクの拡散速度に基づいて遅延間隔を特定すること、
　被印刷物上の第１位置へ、第１オリフィスを通じて第１のインク滴を印刷ヘッドから吐出すること、
　被印刷物上の第２位置へ、第２オリフィスを通じて第２のインク滴を印刷ヘッドから吐出することであって、第１位置のインク滴の縁と第２位置のインク滴の縁は印刷ライン方向に垂直な方向に沿ってある間隙だけ離間し、前記間隙は前記第１のインク滴および前記第２のインク滴が前記第１位置および前記第２位置から広がるにつれて、最初の程度の間隙から残りの程度の間隙に減少する程度であること、および
　前記遅延間隔が過ぎた後で、被印刷物上の、前記残りの程度の間隙の間に位置する第３位置へ、第３オリフィスを通じて第３のインク滴を印刷ヘッドから吐出すること、
からなる方法。」である点（以下「一致点」という。）で一致し、次の点で相違する。
　
相違点：
　前記インクジェットプリンタが、本願発明では、シングルパス方式のものであるのに対し、引用発明では、シングルパス方式のものではない点
　
５　判断
　上記相違点について検討する。
（１）インクジェットプリンタにおいて、高速印刷が可能なライン型インクジェットヘッドを備えたシングルパス方式を採用したものは、本願の優先日前に周知である（以下「周知技術」という。例．特開平８−１７４８０５号公報（【００２２】、図１〜図３を参照。）、特開平１１−３４３６０号公報（【０００３】、【０００５】、図２〜図８を参照。）。
　
（２）引用発明において、前記「インクジェットプリンタ（インクジェット記録装置）」としてライン型インクジェットヘッドを備えたシングルパス方式のものを採用して、引用発明の「印刷方法（インクジェット記録方法）」の高速化を図ることは当業者が周知技術に基づいて容易に想到することができた程度のことである。
　
（３）前記「インクジェットプリンタ（インクジェット記録装置）」を上記（２）のようにライン型インクジェットヘッドを備えたシングルパス方式のものとした引用発明では、「印刷ヘッド」は「ライン型インクジェットヘッド」となり、「印刷ヘッド（ライン型インクジェットヘッド）」と「被印刷物（記録媒体）」とが相対移動する「印刷ライン方向」を第２の方向とすると、ノズル列を構成する複数のノズルは、「印刷ヘッド」において、第２の方向に直交する第１の方向に配列されることになるから、引用発明と同様にｂを４とし、例えば、第１の方向を右方向とし、第２の方向を下方向とし、前記ライン型インクジェットヘッドのｃ個のノズルのうち、前記ライン型インクジェットヘッドの第１の方向の一端である左端に最も近接する位置のノズルから前記ライン型インクジェットヘッドの左端に近い順に、第１ノズル、第２ノズル、・・・、第ｃノズルとし、前記ライン型インクジェットヘッドの４列あるノズル列のうち、前記ライン型インクジェットヘッドの第２の方向の一端である下端に最も近接する位置のノズル列から前記下端に近い順に、第１ノズル列、第２ノズル列、第３ノズル列、第４ノズル列とし、第１ノズル、第２ノズル、・・・、第ｃノズルのうち左右方向について最も近いノズル同士の左右方向についての間隔は各ノズルから噴射され記録媒体に付着したインクの液滴が拡がった後のドット径よりも狭く、第１ノズル列、第２ノズル列、第３ノズル列、第４ノズル列のうち上下方向について最も近いノズル列同士の上下方向についての間隔がいずれも第１の距離であるとすると、第１ノズル、第２ノズル、第３ノズル、・・・、第ｃノズルを、第１ノズル列、第３ノズル列、第２ノズル列、第４ノズル列の順に繰り返し属すように配置することになり、記録媒体に対して例えば９ドットからなる第１の方向の線分すなわち横線を記録するには、第１ノズル列の第１ノズル、第５ノズル及び第９ノズルからインク粒子を噴射することによって第１組のドットを記録し、その後、前記ライン型インクジェットヘッドに対して相対移動する前記記録媒体が上方向へ第１の距離移動する毎に、第３ノズル列の第２ノズル及び第６ノズルからインク粒子を噴射することによって第２組のドットを記録し、第２ノズル列の第３ノズル及び第７ノズルからインク粒子を噴射することによって第３組のドットを記録し、第４ノズル列の第４ノズル及び第８ノズルからインク粒子を噴射することによって第４組のドットを記録することにより９ドットからなる横線の記録を完成させるようにして、引用発明において縦線を記録したときと同様にして線分を記録することになることが、当業者に自明である。
　したがって、そのようにした引用発明は、第１の方向に配列されたａ個のノズルからなるノズル列を第１の方向の位置をずらして第１の方向に直交する第２の方向にｂ列配置した「印刷ヘッド（ライン型インクジェットヘッド）」を備えた「インクジェットプリンタ」により、前記「印刷ヘッド」と記録媒体とを第２の方向に相対移動しながらｃ（ｃ＝ａ×ｂ）個のノズルからインク粒子を噴射することによって記録媒体に液滴を付着させてドットを形成し、該ドットを複数個連ねて文字や画像を構成するインクジェット記録方法になるから、本願発明と対比すると、上記一致点に加えて、「シングルパス方式インクジェットプリンタにおける、印刷ライン方向に沿って印刷ヘッドに対して相対移動する被印刷物の印刷方法」である点でも一致することになる。
　よって、引用発明において上記相違点に係る本願発明の構成となすことは、上記（２）からみて、当業者が容易になし得た程度のことである。
　
（４）本願発明の奏する効果は、当業者が引用発明の奏する効果及び周知技術の奏する効果から予測できた程度のものである。
　
（５）まとめ
　以上のとおりであるから、本願発明は当業者が引用例に記載された発明及び周知技術に基づいて容易に発明をすることができたものである。
　
６　むすび
　以上のとおり、本願発明は、当業者が引用例に記載された発明及び周知技術に基づいて容易に発明をすることができたものである。
　したがって、本願発明は、特許法第２９条第２項の規定により特許を受けることができない。
　よって、結論のとおり審決する。